(57)【要約】【課題】画像を表示可能でありながらも、画像を非表示状態における違和感を生じ難くし得るパネル装置を提供する。【解決手段】パネル装置１は、透光性を有し画像を表示可能な平板状の透過型表示部２０と該透過型表示部の周囲に設けられ該透過型表示部を駆動制御する駆動制御部２５とが組み込まれたパネル体１０を備えている。【選択図】図１
2018036288.tif 000002
【特許請求の範囲】
【請求項１】
透光性を有し画像を表示可能な平板状の透過型表示部と該透過型表示部の周囲に設けられ該透過型表示部を駆動制御する駆動制御部とが組み込まれたパネル体を備えていることを特徴とするパネル装置。
【請求項２】
請求項１において、
前記パネル体の両端部には、前記透過型表示部の両端部を保持し、当該パネル体の四周枠を構成する縦枠部が設けられていることを特徴とするパネル装置。
【請求項３】
請求項２において、
前記パネル体の前記透過型表示部の上方側には、両端部が前記縦枠部に保持された透光板が横桟部を介して隣接して組み込まれていることを特徴とするパネル装置。
【請求項４】
請求項３において、
画像を非表示状態における前記透過型表示部と前記透光板とは、可視光透過率及び色が略同一であることを特徴とするパネル装置。
【請求項５】
請求項２乃至４のいずれか１項において、
前記パネル体の前記透過型表示部の下方側には、両端部が前記縦枠部に保持され、かつ前記駆動制御部を覆うようにパネル厚さ方向両側に配された不透光板が横桟部を介して隣接して組み込まれていることを特徴とするパネル装置。
【発明の詳細な説明】
【技術分野】
【０００１】
本発明は、パネル装置に関する。
【背景技術】
【０００２】
従来より、種々の情報や画像を表示する表示装置としては、テレビモニター等のモニター（ディスプレイ）が一般的であるが、非表示時（不要時）には、モニター自体が邪魔になり易いという問題があった。
例えば、下記特許文献１には、透過率を透明から不透明に変更可能なガラスを採用した建具を開口部に設け、この建具の不透明に変更されたガラスに映写するプロジェクターを設けたシステムが開示されている。
【先行技術文献】
【特許文献】
【０００３】
【特許文献１】特開２０１４−２２０５８２号公報
【発明の概要】
【発明が解決しようとする課題】
【０００４】
しかしながら、上記特許文献１に記載されたシステムでは、プロジェクターが目立ち易くなるという問題があった。
【０００５】
本発明は、上記実情に鑑みてなされたものであり、画像を表示可能でありながらも、画像を非表示状態における違和感を生じ難くし得るパネル装置を提供することを目的としている。
【課題を解決するための手段】
【０００６】
上記目的を達成するために、本発明に係るパネル装置は、透光性を有し画像を表示可能な平板状の透過型表示部と該透過型表示部の周囲に設けられ該透過型表示部を駆動制御する駆動制御部とが組み込まれたパネル体を備えていることを特徴とする。
【発明の効果】
【０００７】
本発明に係るパネル装置は、上述のような構成としたことで、画像を表示可能でありながらも、画像を非表示状態における違和感を生じ難くすることができる。
【図面の簡単な説明】
【０００８】
【図１】本発明の一実施形態に係るパネル装置の一例を模式的に示す概略正面図である。
【図２】（ａ）は、図１におけるＸ１−Ｘ１線矢視に対応させた一部破断概略横断面図、（ｂ）は、図１におけるＸ２−Ｘ２線矢視に対応させた一部破断概略横断面図である。
【図３】同パネル装置を設置した状態の一例を模式的に示す概略正面図である。
【図４】図３に対応させた概略平面図である。
【発明を実施するための形態】
【０００９】
以下に本発明の実施の形態について、図面に基づいて説明する。
なお、一部の図では、他図に付している詳細な符号の一部を省略している。
また、以下の実施形態では、パネル装置を施工した状態を基準として上下方向等の方向を説明する。
【００１０】
図１〜図４は、本実施形態に係るパネル装置の一例を模式的に示す図である。
本実施形態に係るパネル装置１は、図１に示すように、透光性を有し画像を表示可能な平板状の透過型表示部２０と透過型表示部２０の周囲に設けられ透過型表示部２０を駆動制御する駆動制御部２５とが組み込まれたパネル体１０を備えている。つまり、パネル装置１は、画像を表示可能な表示機能付のパネル体１０を備えている。また、このパネル装置１のパネル体１０は、スライド自在または回転自在に建て付けられる構成とされている。本実施形態では、パネル体１０を、スライド自在に建て付けられるものとしている。このパネル体１０の上下両端側をスライド自在にガイドする上下のレール部を構成する上レール部３５及び下レール部３６は、当該パネル装置１が備えたものでもよく、別途に設けられたものでもよい。
【００１１】
このパネル装置１は、住居に限られず、医療施設や福祉施設、各種学校等の公共的施設や、各種店舗、商業施設、工場等に設置されるものでもよい。
また、このパネル装置１は、パネル体１０が出入口となる開口を開閉する引戸として機能するものでもよく、パネル体１０が可動間仕切パネルとして機能するものでもよい。また、パネル装置１は、少なくとも一枚のパネル体１０が表示機能付とされた複数枚のパネル体１０を備えた構成とされたものでもよい。本実施形態では、図３に示すように、パネル装置１を、可動間仕切的に建て付けられる一枚のパネル体１０を備えた構成としている。つまり、表示機能付の一枚のパネル体１０を、可動スクリーン的に配した構成としている。
【００１２】
また、図４に示すように、パネル装置１を、流し台やコンロ台を含む厨房装置４が設置されたキッチンスペース３及び机や椅子を含む食卓（ダイニング）セット６が設置されたダイニングスペース５に跨るように施工した例を示している。
また、パネル体１０を、キッチンスペース３の厨房装置４の側方及びダイニングスペース５のダイニングセット６の側方に移動可能なように配した例を示している（図３も参照）。なお、当該パネル装置１を、キッチンスペース３及びダイニングスペース５に加えて、リビングスペースにも跨るように施工されるものとしてもよい。また、当該パネル装置１の施工箇所や、パネル体１０の可動域等は、図例のような態様に限られず、種々の変形が可能である。
【００１３】
パネル体１０をスライド自在にガイドする上レール部３５及び下レール部３６は、パネル体１０のスライド方向に延びるように長尺状とされている。本実施形態では、上レール部３５を、パネル体１０を吊下支持する構成としている。この上レール部３５には、パネル体１０の上端部に設けられた被ガイド部１１ａを受け入れるガイド溝が設けられている。この上レール部３５としては、下向きに開口するガイド溝が長手方向に延びるように設けられ、このガイド溝の溝幅方向両側の開口縁に、パネル体１０の被ガイド部１１ａを支持する支持片部が設けられたものでもよい。また、この上レール部３５は、適宜のレール下地に固定されるものとしてもよい。また、この上レール部３５は、天井に埋込状に設けられるものでもよく、天井に沿うように設けられるものでもよく、垂れ壁等の下端部に沿うように設けられるものでもよい。
【００１４】
また、本実施形態では、この上レール部３５の長手方向の各端部が接続される両側の縦枠部３７，３７を設けた構成としている。上レール部３５は、これら両側の縦枠部３７，３７に支持されるものとしてもよい。
下レール部３６は、上レール部３５の直下に位置するように、かつ上レール部３５と平行状となるように床２側に配設される。この下レール部３６には、パネル体１０の下端部に設けられた被ガイド部１３ａを受け入れるガイド溝が設けられている。この下レール部３６としては、上向きに開口するガイド溝が長手方向に延びるように設けられたものでもよい。また、この下レール部３６は、適宜のレール下地に固定されるものとしてもよい。また、この下レール部３６は、床２に埋込状に設けられるものでもよく、床２に沿うように直付状に設けられるものでもよい。
【００１５】
パネル体１０は、上下方向に長尺状とされ、略矩形平板状とされている。このパネル体１０の上下方向に沿う寸法は、用途や設置箇所等に応じて、適宜の寸法としてもよい。例えば、このパネル体１０の上下方向に沿う寸法を、床２から天井や垂れ壁までの上下方向に沿う寸法に応じた寸法としてもよく、また、１８００ｍｍ〜３０００ｍｍ程度としてもよい。また、このような態様に代えて、パネル体１０の上下方向に沿う寸法を、例えば、５００ｍｍ〜１５００ｍｍ程度の比較的に小さい寸法としてもよい。例えば、パネル体１０を、比較的に上下方向に沿う寸法の小さい収納箱体の開口を開閉するものとしてもよい。また、このパネル体１０のスライド方向（パネル幅方向）に沿う寸法は、上記同様、用途や設置箇所等に応じて、適宜の寸法としてもよく、例えば、５００ｍｍ〜１５００ｍｍ程度としてもよい。また、このパネル体１０の厚さ寸法は、後記する駆動制御部２５等に応じて、適宜の寸法としてもよく、例えば、２０ｍｍ〜１００ｍｍ程度としてもよい。
【００１６】
また、パネル体１０の上端部には、上レール部３５のガイド溝に沿ってガイドされる被ガイド部１１ａが設けられている。この被ガイド部１１ａとしては、上レール部３５の下端部に設けられた両側の支持片部上を転動する転動体（ローラー）を備えたランナー等でもよい。また、図例では、パネル体１０の上端部のパネル幅方向両端部のそれぞれに被ガイド部１１ａ，１１ａを設けた例を示している。
また、パネル体１０の下端部には、下レール部３６のガイド溝に沿ってガイドされる被ガイド部１３ａが設けられている。この被ガイド部１３ａとしては、下レール部３６のガイド溝に挿入されるピン状とされたものでもよい。また、図例では、パネル体１０の下端部のパネル幅方向両端部のそれぞれに被ガイド部１３ａ，１３ａを設けた例を示している。
【００１７】
なお、本実施形態のように、上レール部３５によってパネル体１０を吊下支持する上吊型とした場合には、下レール部３６に代えて、ガイドピン等の下端ガイド部材を設けた構成としてもよい。この場合は、パネル体１０の下端部に、凹溝等を設けた構成としてもよい。
また、上レール部３５によってパネル体１０を吊下支持する上吊型とした態様に代えて、下レール部３６によってパネル体１０の荷重を受ける下荷重型としてもよい。この場合は、パネル体１０の下端部の被ガイド部１３ａを、下レール部３６のガイド溝に沿って転動する転動体（ローラー）を備えた構成とし、上下のレール部３５，３６や上端部の被ガイド部１１ａを適宜、変形するようにしてもよい。
【００１８】
また、パネル体１０は、上下両端部に、当該パネル体１０の四周枠を構成する上枠部１１及び下枠部１３を設け、スライド方向両端部に、当該パネル体１０の四周枠を構成する一対の縦枠部１２，１２を設けた構成とされている。上記したパネル体１０の上端部の被ガイド部１１ａは、上枠部１１に設けられている。また、パネル体１０の下端部の被ガイド部１３ａは、下枠部１３に設けられている。
一対の縦枠部１２，１２は、それぞれの上下端部を上枠部１１及び下枠部１３の長手方向の各端部に接続した構成とされている。これら四周枠を構成する上枠部１１、両側の縦枠部１２，１２及び下枠部１３は、一体的に形成されたものでもよく、ねじ等の止具や接着、溶接等によって接合されたものでもよい。また、これら上枠部１１、両側の縦枠部１２，１２及び下枠部１３は、互いのパネル厚さ方向両面が略同一平面状となるように、パネル厚さ方向に沿う寸法が互いに略同寸法とされている。
【００１９】
また、両側の縦枠部１２，１２は、透過型表示部２０のパネル幅方向に沿う方向の両端部を保持する構成とされている。本実施形態では、図２（ａ）に示すように、両側の縦枠部１２，１２に、互いに対向する内側面において開口し、透過型表示部２０の各端部を受け入れる受入溝を設けた構成としている。これら両側の縦枠部１２，１２の受入溝は、透過型表示部２０がパネル厚さ方向略中央部に位置するように設けられている。図例では、各縦枠部１２，１２を、四角筒状とし、その互いに対向する側の筒壁を貫通させるように受入溝を設けた例を示している。また、受入溝の溝幅方向両側に、透過型表示部２０の各端部を挟むように保持するクッション材１９，１９を設けた構成としている。また、各縦枠部１２，１２の中空内部に、透過型表示部２０の各端面が当接されるクッション材１２ａ，１２ａを設けた構成としている。
【００２０】
また、パネル体１０には、この透過型表示部２０の上下端部を保持する横桟部１４，１４が設けられている。つまり、これら上下の横桟部１４，１４及び両側の縦枠部１２，１２が透過型表示部２０の四周端部を額縁状に囲むように保持する四周保持部を構成する。
また、これら横桟部１４，１４は、両側の縦枠部１２，１２間に架け渡されるように設けられている。また、これら横桟部１４，１４には、縦枠部１２，１２と概ね同様、透過型表示部２０の上端部及び下端部を受け入れる受入溝が設けられている。また、図２（ａ）では、透過型表示部２０の下端部を保持する横桟部１４のみを図示しているが、これら横桟部１４，１４の受入溝の溝幅方向両側にも、透過型表示部２０の各端部を挟むように保持するクッション材１９，１９が設けられている。なお、透過型表示部２０の具体的構成については後述する。
【００２１】
また、本実施形態では、図１に示すように、パネル体１０の透過型表示部２０の上方側に、横桟部１４を介して透光板（中段透光板）１７を隣接させて組み込んだ構成としている。また、この中段透光板１７の上方側に、横桟部１４を介して更に上段透光板１６を隣接させて組み込んだ構成としている。これら上段透光板１６及び中段透光板１７は、アクリルやポリカーボネート等の合成樹脂系材料や、ガラス等の透光性材料から形成され、透明または半透明とされている。
また、本実施形態では、これら上段透光板１６及び中段透光板１７のうちの少なくとも中段透光板１７と、画像を非表示状態（ＯＦＦ状態）における透過型表示部２０と、を可視光透過率及び色が略同一とされたものとしている。これらＯＦＦ状態における透過型表示部２０及び中段透光板１７の可視光透過率や色は、所望する光の透過度や趣向等に応じて、適宜、設定されたものでもよい。また、可視光透過率及び色が略同一とは、完全同一に限られず、概ね同一であればよく、ＯＦＦ状態における透過型表示部２０と中段透光板１７とが概ね同様な外観を呈する範囲内であればよい。つまり、目視した際に、ＯＦＦ状態における透過型表示部２０と中段透光板１７とが概ね同様な外観と認識される範囲内であればよい。
【００２２】
中段透光板１７は、略矩形平板状とされ、パネル幅方向に沿う方向の両端部が両側の縦枠部１２，１２に保持されている。つまり、両側の縦枠部１２，１２間において露出する中段透光板１７のパネル幅方向に沿う寸法を、両側の縦枠部１２，１２間において露出する透過型表示部２０のパネル幅方向に沿う寸法と略同寸法としている。
また、中段透光板１７は、上下両端部が上下両端側に設けられた横桟部１４，１４に保持されている。また、本実施形態では、この中段透光板１７の上下両端部を保持する上下の横桟部１４，１４間の上下方向に沿う寸法を、透過型表示部２０の上下両端部を保持する上下の横桟部１４，１４間の上下方向に沿う寸法と略同寸法としている。つまり、上下の横桟部１４，１４間において露出する中段透光板１７の上下方向に沿う寸法と上下の横桟部１４，１４間において露出する透過型表示部２０の上下方向に沿う寸法とを略同寸法としている。また、この中段透光板１７の四周の各端部は、上記同様、両側の縦枠部１２，１２及び上下の横桟部１４，１４に設けられた受入溝に差し入れられて保持されている。
【００２３】
上段透光板１６は、上記同様、略矩形平板状とされ、パネル幅方向に沿う方向の両端部が両側の縦枠部１２，１２に保持されている。つまり、上記同様、両側の縦枠部１２，１２間において露出する上段透光板１６のパネル幅方向に沿う寸法を、両側の縦枠部１２，１２間において露出する透過型表示部２０のパネル幅方向に沿う寸法と略同寸法としている。
また、上段透光板１６は、上端部が上枠部１１に保持され、下端部が横桟部１４に保持されている。図例では、この上段透光板１６の上下両端部を保持する上枠部１１と横桟部１４との間の上下方向に沿う寸法を、透過型表示部２０の上下両端部を保持する上下の横桟部１４，１４間の上下方向に沿う寸法よりも小とした例を示している。また、この上段透光板１６の四周の各端部は、上記同様、上枠部１１、両側の縦枠部１２，１２及び横桟部１４に設けられた受入溝に差し入れられて保持されている。
【００２４】
また、本実施形態では、上段透光板１６をパネル幅方向に区分するように縦桟部１５を設けた構成としている。図例では、この縦桟部１５を、パネル幅方向略中央部に位置するように設けた例を示している。この縦桟部１５は、上段透光板１６の厚さ方向両側のそれぞれにバー状に設けられたものでもよい。なお、このような態様に代えて、パネル幅方向に分離された２つの上段透光板１６，１６の隣接する端部を保持するように縦桟部１５を設けた態様としてもよく、さらには、このような縦桟部１５を設けていない構成としてもよい。
これら上段透光板１６及び中段透光板１７の厚さ寸法は、パネル体１０の四周枠を構成する上枠部１１、両側の縦枠部１２，１２及び下枠部１３のパネル厚さ方向に沿う寸法よりも小とされている。これら上段透光板１６及び中段透光板１７の厚さ寸法は、軽量化を図る観点や強度上の観点等から適宜の寸法としてもよく、例えば、１．５ｍｍ〜５ｍｍ程度としてもよい。なお、上段透光板１６、中段透光板１７及び透過型表示部２０の各四周端部を保持する態様としては、上記のような受入溝に嵌め入れて保持する態様に限られず、その他、種々の変形が可能である。
【００２５】
また、本実施形態では、図１及び図２（ｂ）に示すように、パネル体１０の透過型表示部２０の下方側に駆動制御部２５を設けた構成としている。また、パネル体１０の透過型表示部２０の下方側に、この駆動制御部２５を覆うようにパネル厚さ方向両側に配された不透光板１８，１８を横桟部１４を介して隣接させて組み込んだ構成としている。つまり、パネル体１０の下方側部位に、駆動制御部２５の収容空間を形成するように、パネル厚さ方向に間隔を空けて不透光板１８，１８を設けた構成としている。また、これらパネル厚さ方向両側の不透光板１８，１８の下端部を、下枠部１３に保持させた構成としている。つまり、パネル体１０に、上段透光板１６、中段透光板１７、透過型表示部２０及び不透光板１８，１８を、上側からこの順に組み込んだ構成としている。
【００２６】
これら不透光板１８，１８は、略矩形平板状とされ、パネル厚さ方向中心から略等間隔を空けて設けられている。これら不透光板１８，１８間の収容空間のパネル厚さ方向に沿う寸法は、これらの間に駆動制御部２５を収容可能なように、適宜の寸法としてもよい。また、これら不透光板１８，１８は、それぞれの表面となるパネル厚さ方向外側面が四周枠を構成する上枠部１１、両側の縦枠部１２，１２及び下枠部１３のパネル厚さ方向両面よりもパネル厚さ方向中心側に位置するように設けられている。
また、これら不透光板１８，１８は、パネル幅方向に沿う方向の両端部が両側の縦枠部１２，１２に保持されている。これら不透光板１８，１８の四周の各端部は、横桟部１４、両側の縦枠部１２，１２及び下枠部１３に、適宜の接合具や接着等によって接合された構成としてもよい。
【００２７】
また、これら不透光板１８，１８は、木質系材料や合成樹脂系材料、金属系材料から形成されたものでもよく、放熱性や強度上の観点等から金属系材料から形成されたものでもよい。また、これら不透光板１８，１８の厚さ寸法は、軽量化を図る観点や強度上の観点等から適宜の寸法としてもよく、例えば、１．５ｍｍ〜５ｍｍ程度としてもよい。また、これら不透光板１８，１８に、駆動制御部２５の空冷のために通気孔やガラリ等の通気部を設けた構成としてもよい。この場合は、パネル厚さ方向両側の不透光板１８，１８のそれぞれに通気部を設けた構成としてもよく、また、一方または両方の不透光板１８，１８の上側部位及び下側部位のそれぞれに通気部を設けた構成等としてもよい。また、図例では、これら不透光板１８，１８の上下両端部を保持する横桟部１４と下枠部１３との間の上下方向に沿う寸法を、透過型表示部２０の上下両端部を保持する上下の横桟部１４，１４間の上下方向に沿う寸法よりも大とした例を示している。また、各横桟部１４，１４，１４のパネル厚さ方向に沿う寸法は、パネル厚さ方向両面が四周枠を構成する上枠部１１、両側の縦枠部１２，１２及び下枠部１３のパネル厚さ方向両面と略同一平面状となるように適宜の寸法とされたものでもよい。
【００２８】
透過型表示部２０は、図２（ａ）に示すように、薄型パネル状のディスプレイを構成する。本実施形態では、この透過型表示部２０を、パネル幅方向に長尺状とされた略矩形平板状としている。この透過型表示部２０における画像を表示する表示部を構成する部位（四周端部を除いた四周保持部内側に露出する部位）のアスペクト比（横縦比）は、一般的な映像表示機器（ディスプレイ）と同程度とされたものとしてもよい。図例では、この透過型表示部２０の表示部を構成する部位のアスペクト比を、１６：９とした例を示している。
また、この透過型表示部２０の表示部を構成する部位は、上記した厨房装置４の天板上面やダイニングセット６の机上面よりも上方側に位置するように設けられている。この透過型表示部２０の表示部を構成する部位を、例えば、床２から７５０ｍｍ以上、好ましくは８５０ｍｍ以上の高さに位置するように配されるものとしてもよい。
【００２９】
また、この透過型表示部２０は、上記したように画像を非表示状態（ＯＦＦ状態）では、上段透光板１６及び中段透光板１７のうちの隣接する少なくとも中段透光板１７と可視光透過率及び色が略同一とされている。つまり、透過型表示部２０は、非表示状態（ＯＦＦ状態）では、透明または半透明となり透光性を有した透光板として機能する一方、表示状態（ＯＮ状態）では、ディスプレイとして機能する。
本実施形態では、透過型表示部２０を、電子輸送層、発光層及び正孔輸送層を有した有機層の厚さ方向両側に電極層を設けた有機ＥＬ（ＯＬＥＤ：有機発光ダイオード）層２１を有した有機ＥＬ（ＯＬＥＤ）ディスプレイを構成するものとしている。また、有機ＥＬ層２１の厚さ方向両側に透光性基板２３，２４を設けた構成としている。
【００３０】
この透過型表示部２０の有機ＥＬ層２１における発光素子（有機ＥＬ素子）の配置態様や駆動方式としては、公知の有機ＥＬディスプレイに適用されたものの採用が可能である。例えば、多数の画素を構成する発光素子をマトリクス状に並べ、与えられた映像信号に応じて画素毎に光強度を制御することによって画像を表示するアクティブマトリクス型のものでもよく、単純（パッシブ）マトリクス型のものでもよい。
有機ＥＬ層２１の発光層は、多数の画素を構成する発光素子を有し、電極層を介して供給される電流量によって各発光素子の輝度が制御される構成とされたものでもよい。有機ＥＬ層２１の電極層は、後記する駆動制御部２５の制御回路２７に接続される駆動回路２２に接続されている。この駆動回路２２は、発光素子を駆動するソースドライバＩＣ（回路）やゲートドライバＩＣ（回路）を構成するものでもよく、適宜のケーブル等を介して、制御回路２７に接続されたものでもよい。図例では、この駆動回路２２を、透過型表示部２０の下端側に設けた例を示している。この駆動回路２２は、透過型表示部２０の下端側の横桟部１４や不透光板１８，１８間の収容空間に収容されたものでもよい。なお、このような態様に代えて、駆動回路２２の一部を、透過型表示部２０のパネル幅方向一端部側に設けた態様等としてもよい。
【００３１】
透光性基板２３，２４は、一方の透光性基板２３が電極層を設けた基板を構成し、他方の透光性基板２４が封止パネルや補強パネルとして機能するものでもよい。この場合、他方の透光性基板２４を、上記した上段透光板１６及び中段透光板１７のうちの少なくとも中段透光板１７と同厚さで同材料から形成されたものとしてもよい。
なお、この透過型表示部２０の厚さ寸法は、上記同様、軽量化を図る観点や強度上の観点等から適宜の寸法としてもよく、例えば、３ｍｍ〜１０ｍｍ程度としてもよい。
また、この透過型表示部２０に表示される画像は、ＲＧＢやＣＭＹ等の３原色混合による３色以上のカラー（フルカラー）画像等でもよく、単色や２色画像でもよい。
また、透過型表示部２０としては、有機ＥＬディスプレイを構成するものに限られず、無機ＥＬディスプレイや液晶ディスプレイ等の他の透過型ディスプレイを構成するものでもよい。
【００３２】
駆動制御部２５は、駆動回路２２を制御するタイミングコントローラーなどの制御回路２７を備えている。なお、上記した駆動回路２２を、駆動制御部２５が備えたものとして把握するようにしてもよい。
また、駆動制御部２５は、情報端末機器等の画像信号源３４からの信号を変換して制御回路２７に送信する変換器２８を備えている。このような変換器２８としては、ＤＶＩ信号をＬＶＤＳ信号に変換するものでもよい。なお、制御回路２７と画像信号源３４とは、有線接続されたものに限られず、無線接続されたものでもよい。
また、駆動制御部２５は、電源元となる後記する電源部３０からの駆動電源を変換して制御回路２７に供給するコンバータ２９を備えている。このようなコンバータ２９としては、小電流及び高電圧電源を大電流及び小電圧に変換するＤＣＤＣコンバータ等でもよい。
これら駆動制御部２５の制御回路２７や変換器２８、コンバータ２９等は、一方の不透光板１８に沿うように固定された保持パネル２６に保持されたものでもよい。
なお、駆動制御部２５は、透過型表示部２０の構成等に応じたものであればよく、その他、種々の構成とされたものでもよい。
【００３３】
また、当該パネル装置１は、駆動制御部２５に駆動電源を供給する電源部３０を備えている。本実施形態では、電源部３０を、図１及び図３に示すように、スライドするパネル体１０に組み込まれた駆動制御部２５に非接触型給電によって駆動電源を供給する構成としている。このような電源部３０の非接触型給電方式としては、公知の方式の採用が可能であり、例えば、電磁誘導方式や、磁界共鳴方式等、その他、種々の方式の採用が可能である。この電源部３０は、例えば、受電側となるパネル体１０の下端部に設けられた受電側（二次）コイル３２と、送電側となる床２側に埋込状に設けられ、電源３３に接続された送電側（一次）コイル３１と、を備えたものでもよい。図例では、パネル体１０の下端部に、パネル幅方向に間隔を空けて複数（図例では、４つ）の受電側コイル３２を設けた例を示している。また、送電側コイル３１は、パネル体１０の可動範囲に対応可能なように、かつ受電側コイル３２のいずれかに給電可能なように設けられている。図例では、床２側に、パネル体１０のスライド方向に間隔を空けて複数（図例では３つ）の送電側コイル３１を設けた例を示している。
【００３４】
なお、駆動制御部２５に駆動電源を供給する非接触型給電方式の電源部３０としては、上記のような態様に限られず、その他、種々の変形が可能である。また、駆動制御部２５に駆動電源を供給する電源部３０としては、非接触型給電方式のものに限られず、フレキシブルフラットケーブル（ＦＦＣ）等を介して接続された有線方式のものでもよく、パネル体１０側に設けられたものでもよく、その他、種々の変形が可能である。また、パネル体１０の下端側から給電可能とした構成に限られず、上端側から給電可能とした構成としてもよい。
また、パネル体１０の適所やパネル体１０とは離間した箇所に配される操作部や、スピーカー等の音響出力部を備えた構成としてもよい。
【００３５】
本実施形態に係るパネル装置１は、上述のような構成としたことで、画像を表示可能でありながらも、画像を非表示状態における違和感を生じ難くすることができる。
つまり、透光性を有し画像を表示可能な平板状の透過型表示部２０とこの透過型表示部２０の周囲に設けられ透過型表示部２０を駆動制御する駆動制御部２５とが組み込まれたパネル体１０を備えた構成としている。従って、画像を非表示状態では、透過型表示部２０がガラス状の透光部のような外観を呈することとなり、違和感を生じ難くすることができる。
【００３６】
また、本実施形態では、駆動制御部２５をパネル体１０の透過型表示部２０の下方側に組み込んだ構成としているので、視認し難いパネル体１０の下方側を有効に利用することができる。換言すれば、パネル体１０の透過型表示部２０を、パネル体１０における視認し易い位置に配置することができる。
また、本実施形態では、このパネル体１０を、スライド自在に建て付けられる構成としているので、パネル体１０をスライドさせて所望する箇所において画像を表示させることができる。従って、上記した例のように当該パネル装置１を設置した場合には、例えば、パネル体１０を厨房装置４の側方に位置させてレシピを表示させたり、パネル体１０をダイニングセット６の側方に位置させて種々の映像を表示させたりすることができる。
【００３７】
また、本実施形態では、パネル体１０の両端部に、透過型表示部２０の両端部を保持し、当該パネル体１０の四周枠を構成する縦枠部１２，１２を設けた構成としている。従って、透過型表示部２０が当該パネル体１０の横方向（パネル幅方向、スライド方向）の大半に亘って設けられることとなり、透過型表示部２０の横方向に沿う寸法を効果的に大きくすることができる。
【００３８】
また、本実施形態では、パネル体１０の透過型表示部２０の上方側に、両端部が縦枠部１２，１２に保持された透光板（中段透光板）１７を横桟部１４を介して隣接させて組み込んだ構成としている。従って、透過型表示部２０を非表示状態とすれば、パネル体１０の上下に隣接して少なくとも２つの透光部が形成され、比較的に大きな透光部を有したパネル体１０を構成することができる。また、両側の縦枠部１２，１２間において露出する透過型表示部２０及び中段透光板１７の横方向（パネル幅方向、スライド方向）に沿う寸法が互いに略同一となるので、違和感をより生じ難くすることができる。
また、本実施形態では、画像を非表示状態における透過型表示部２０及び中段透光板１７の可視光透過率及び色を、略同一としている。従って、透過型表示部２０が非表示状態では、上下に隣接する２つの透光部が同様な外観を呈することとなり、違和感をより生じ難くすることができる。
【００３９】
また、本実施形態では、パネル体１０の透過型表示部２０の下方側に、両端部が縦枠部１２，１２に保持され、かつ駆動制御部２５を覆うようにパネル厚さ方向両側に配された不透光板１８，１８を横桟部１４を介して隣接させて組み込んだ構成としている。従って、透過型表示部２０の下方側に隣接して不透光な鏡板状のパネル部が組み込まれたような外観を呈し、違和感をより生じ難くすることができる。なお、本実施形態では、パネル体１０の下端側部位に駆動制御部２５及び駆動制御部２５を覆う不透光板１８，１８を設けた例を示しているが、このような態様に限られない。例えば、駆動制御部２５及び駆動制御部２５を覆う不透光板１８，１８の下方側に、更に透光板等を設けた構成としてもよい。また、透過型表示部２０の上方側に駆動制御部２５を設け、透過型表示部２０の上方側に、駆動制御部２５を覆うパネル厚さ方向両側の不透光板１８，１８を横桟部１４を介して隣接させた構成等としてもよい。この場合は、透過型表示部２０の下方側に、横桟部１４を介して透光板１７を隣接させた構成等としてもよい。また、上記のような不透光板１８，１８を設けた態様に代えて、例えば、駆動制御部２５を収容する箱状の収容部を、パネル体１０の上方側部位や下方側部位等の一方面に沿わせるように設けたような態様等としてもよい。また、駆動制御部２５を、透過型表示部２０の上方側または下方側に設けた態様に代えて、透過型表示部２０の横側（パネル幅方向一方側または両方側）等に設けた態様としてもよい。
【００４０】
また、本実施形態では、上段透光板１６を設けた例を示しているが、このような上段透光板１６を設けていない構成としてもよい。
また、本実施形態では、中段透光板１７、透過型表示部２０及び不透光板１８，１８の四周保持部を、パネル体１０の四周枠１１，１２，１２，１３及び横桟部１４，１４，１４とした例を示しているが、このような態様に限られない。これら中段透光板１７、透過型表示部２０及び不透光板１８，１８の少なくともいずれか一つがパネル幅方向に比較的に小さいブロック状とされたものでもよい。また、透過型表示部２０の上方側に隣接する中段透光板１７を設けていない構成としてもよい。また、本実施形態では、パネル体１０を、スライド自在に建て付けられる構成とした例を示しているが、回転自在に建て付けられて開き戸として機能するものでもよい。当該パネル装置１のパネル体１０の具体的構成としては、その他、種々の変形が可能である。
【符号の説明】
【００４１】
１    パネル装置
１０  パネル体
１２  縦枠部
１４  横桟部
１７  中段透光板（透光板）
１８  不透光板
２０  透過型表示部
２５  駆動制御部
【図１】
2018036288.tif 000003
【図２】
2018036288.tif 000004
【図３】
2018036288.tif 000005
【図４】
2018036288.tif 000006